(57)【特許請求の範囲】
【請求項１】
監視対象者が携帯して使用する監視対象者端末と、表示部を有して監視者が使用する監視者端末とを具備する安全情報表示システムであって、
前記監視対象者端末の位置情報を取得する位置情報取得部と、
前記監視対象者が目指すべき目的地に関する目的地情報を設定する目的地情報設定部と、
地図情報を格納する地図情報部と、
第三者から受信した安全に関する安全情報を蓄積する安全情報蓄積部と、
前記地図情報部に格納された前記地図情報に、前記位置情報取得部で取得された前記位置情報、前記目的地情報設定部で設定された前記目的地情報、及び前記安全情報蓄積部に蓄積された前記安全情報が反映された安全情報表示データを生成する表示データ生成部と、
前記表示データ生成部で生成された前記安全情報表示データを前記監視者端末の前記表示部に表示させる表示制御部と、
前記監視者により決定された前記監視対象者が通るべき移動経路に関する決定移動経路情報を設定する決定移動経路情報設定部と、
を具備し、
前記監視者端末は、入力操作可能な入力部を有し、
前記決定移動経路情報設定部は、
前記表示部に表示された前記安全情報表示データとしての前記地図情報に対して、前記位置情報と前記目的地情報との間の任意の経路をなぞるような前記入力部の入力操作により前記決定移動経路情報を設定する、
安全情報表示システム。
【請求項２】
監視対象者が携帯して使用する監視対象者端末と、表示部を有して監視者が使用する監視者端末とを具備する安全情報表示システムであって、
前記監視対象者端末の位置情報を取得する位置情報取得部と、
前記監視対象者が目指すべき目的地に関する目的地情報を設定する目的地情報設定部と、
地図情報を格納する地図情報部と、
第三者から受信した安全に関する安全情報を蓄積する安全情報蓄積部と、
前記地図情報部に格納された前記地図情報に、前記位置情報取得部で取得された前記位置情報、前記目的地情報設定部で設定された前記目的地情報、及び前記安全情報蓄積部に蓄積された前記安全情報が反映された安全情報表示データを生成する表示データ生成部と、
前記表示データ生成部で生成された前記安全情報表示データを前記監視者端末の前記表示部に表示させる表示制御部と、
前記位置情報取得部で取得された前記位置情報、前記目的地情報設定部で設定された前記目的地情報、前記地図情報部に格納された前記地図情報、及び前記安全情報蓄積部に蓄積された前記安全情報に基づいて、前記監視対象者が通るべき移動経路の候補を検索する移動経路検索部と、を具備し、
前記表示データ生成部は、前記地図情報部に格納された前記地図情報に、前記位置情報取得部で取得された前記位置情報、前記目的地情報設定部で設定された前記目的地情報、及び前記移動経路検索部により検索された前記移動経路の候補が反映された移動経路表示データを生成し、
前記表示制御部は、前記表示データ生成部で生成された前記移動経路表示データを前記監視者端末の前記表示部に表示させ、
前記表示部に表示された前記移動経路表示データには、前記安全情報を反映させた前記移動経路の候補が複数含まれる、
安全情報表示システム。
【請求項３】
前記移動経路の候補の中から前記監視者により決定された前記移動経路に関する決定移動経路情報を設定する決定移動経路情報設定部を具備し、
前記監視対象者端末は、表示部を有し、
前記表示制御部は、前記決定移動経路情報設定部で設定された前記決定移動経路情報に基づいて、決定された前記移動経路が反映された前記移動経路表示データを前記監視対象者端末の前記表示部に表示させる、
請求項２に記載の安全情報表示システム。
【請求項４】
前記位置情報取得部で取得された前記位置情報の履歴を蓄積する位置情報蓄積部を具備し、
前記表示データ生成部は、前記地図情報部に格納された前記地図情報に、前記位置情報蓄積部に蓄積された前記位置情報の履歴が反映された移動履歴表示データを生成し、
前記表示制御部は、前記表示データ生成部で生成された前記移動履歴表示データを前記監視者端末の前記表示部に表示させる、
請求項１から請求項３までのいずれか一項に記載の安全情報表示システム。
【請求項５】
前記監視者端末は、前記監視対象者が前記目的地に到着した旨を報知可能な報知部を有し、
前記位置情報取得部で取得された前記位置情報に基づいて、前記監視対象者が前記目的地に到着したかどうかを判断する目的地到着判断部と、
前記目的地到着判断部により前記監視対象者が前記目的地に到着したと判断されると、前記監視者端末の前記報知部に前記監視対象者が前記目的地に到着した旨を報知させる報知制御部と、
を具備する、
請求項１から請求項４までのいずれか一項に記載の安全情報表示システム。
【請求項６】
前記監視者端末は、入力操作されることにより前記目的地情報設定部で前記目的地が設定される入力部を有する、
請求項１から請求項５までのいずれか一項に記載の安全情報表示システム。
【請求項７】
前記安全情報は、防犯情報を含む、
請求項１から請求項６までのいずれか一項に記載の安全情報表示システム。
【請求項８】
前記安全情報はさらに、交通情報及び／又は災害情報を含む、
請求項７に記載の安全情報表示システム。
【発明の詳細な説明】
【技術分野】
【０００１】
本発明は、監視対象者が携帯して使用する監視対象者端末と、監視者が使用する監視者端末とを具備する安全情報表示システムの技術に関する。
【背景技術】
【０００２】
従来、監視対象者が携帯して使用する監視対象者端末と、監視者が使用する監視者端末とを具備する安全情報表示システムの技術は公知となっている。例えば、特許文献１に記載の如くである。
【０００３】
特許文献１には、出発地から目的地にお使いに出かける子供にとって、より安全な経路を取得し、経路から外れた場合に、これを報知するお使い支援システムが記載されている。
【０００４】
しかしながら、特許文献１に記載の技術は、安全な経路を設定する段階において、例えば不審者や事件の発生に関する防犯情報などの、安全に関する安全情報を考慮していない。このため、十分に安全な経路が設定されているとはいえなかった。
【０００５】
安全情報は、地域や自治体などから単発に発信される。また、安全情報は、メールにより配信される。このため、監視者（親）は、全ての安全情報を総合的に把握するのは困難であった。ひいては、監視者にとって、安全情報が総合的に考慮された安全な移動経路を設定することは困難であった。
【先行技術文献】
【特許文献】
【０００６】
【特許文献１】特開２０１４−５５７７９号公報
【発明の概要】
【発明が解決しようとする課題】
【０００７】
本発明は以上の如き状況に鑑みてなされたものであり、その解決しようとする課題は、監視者が、安全に関する安全情報を総合的に把握することができ、ひいては、安全情報が総合的に考慮された安全な移動経路を容易に設定することができる安全情報表示システムを提供するものである。
【課題を解決するための手段】
【０００８】
本発明の解決しようとする課題は以上の如くであり、次にこの課題を解決するための手段を説明する。
【０００９】
即ち、請求項１においては、監視対象者が携帯して使用する監視対象者端末と、表示部を有して監視者が使用する監視者端末とを具備する安全情報表示システムであって、前記監視対象者端末の位置情報を取得する位置情報取得部と、前記監視対象者が目指すべき目的地に関する目的地情報を設定する目的地情報設定部と、地図情報を格納する地図情報部と、第三者から受信した安全に関する安全情報を蓄積する安全情報蓄積部と、前記地図情報部に格納された前記地図情報に、前記位置情報取得部で取得された前記位置情報、前記目的地情報設定部で設定された前記目的地情報、及び前記安全情報蓄積部に蓄積された前記安全情報が反映された安全情報表示データを生成する表示データ生成部と、前記表示データ生成部で生成された前記安全情報表示データを前記監視者端末の前記表示部に表示させる表示制御部と、前記監視者により決定された前記監視対象者が通るべき移動経路に関する決定移動経路情報を設定する決定移動経路情報設定部と、を具備し、前記監視者端末は、入力操作可能な入力部を有し、前記決定移動経路情報設定部は、前記表示部に表示された前記安全情報表示データとしての前記地図情報に対して、前記位置情報と前記目的地情報との間の任意の経路をなぞるような前記入力部の入力操作により前記決定移動経路情報を設定するものである。
【００１０】
請求項２においては、監視対象者が携帯して使用する監視対象者端末と、表示部を有して監視者が使用する監視者端末とを具備する安全情報表示システムであって、前記監視対象者端末の位置情報を取得する位置情報取得部と、前記監視対象者が目指すべき目的地に関する目的地情報を設定する目的地情報設定部と、地図情報を格納する地図情報部と、第三者から受信した安全に関する安全情報を蓄積する安全情報蓄積部と、前記地図情報部に格納された前記地図情報に、前記位置情報取得部で取得された前記位置情報、前記目的地情報設定部で設定された前記目的地情報、及び前記安全情報蓄積部に蓄積された前記安全情報が反映された安全情報表示データを生成する表示データ生成部と、前記表示データ生成部で生成された前記安全情報表示データを前記監視者端末の前記表示部に表示させる表示制御部と、前記位置情報取得部で取得された前記位置情報、前記目的地情報設定部で設定された前記目的地情報、前記地図情報部に格納された前記地図情報、及び前記安全情報蓄積部に蓄積された前記安全情報に基づいて、前記監視対象者が通るべき移動経路の候補を検索する移動経路検索部と、を具備し、前記表示データ生成部は、前記地図情報部に格納された前記地図情報に、前記位置情報取得部で取得された前記位置情報、前記目的地情報設定部で設定された前記目的地情報、及び前記移動経路検索部により検索された前記移動経路の候補が反映された移動経路表示データを生成し、前記表示制御部は、前記表示データ生成部で生成された前記移動経路表示データを前記監視者端末の前記表示部に表示させ、前記表示部に表示された前記移動経路表示データには、前記安全情報を反映させた前記移動経路の候補が複数含まれるものである。
【００１１】
請求項３においては、前記移動経路の候補の中から前記監視者により決定された前記移動経路に関する決定移動経路情報を設定する決定移動経路情報設定部を具備し、前記監視対象者端末は、表示部を有し、前記表示制御部は、前記決定移動経路情報設定部で設定された前記決定移動経路情報に基づいて、決定された前記移動経路が反映された前記移動経路表示データを前記監視対象者端末の前記表示部に表示させるものである。
【００１２】
請求項４においては、前記位置情報取得部で取得された前記位置情報の履歴を蓄積する位置情報蓄積部を具備し、前記表示データ生成部は、前記地図情報部に格納された前記地図情報に、前記位置情報蓄積部に蓄積された前記位置情報の履歴が反映された移動履歴表示データを生成し、前記表示制御部は、前記表示データ生成部で生成された前記移動履歴表示データを前記監視者端末の前記表示部に表示させるものである。
【００１３】
請求項５においては、前記監視者端末は、前記監視対象者が前記目的地に到着した旨を報知可能な報知部を有し、前記位置情報取得部で取得された前記位置情報に基づいて、前記監視対象者が前記目的地に到着したかどうかを判断する目的地到着判断部と、前記目的地到着判断部により前記監視対象者が前記目的地に到着したと判断されると、前記監視者端末の前記報知部に前記監視対象者が前記目的地に到着した旨を報知させる報知制御部と、を具備するものである。
【００１４】
請求項６においては、前記監視者端末は、入力操作されることにより前記目的地情報設定部で前記目的地が設定される入力部を有するものである。
【００１５】
請求項７においては、前記安全情報は、防犯情報を含むものである。
【００１６】
請求項８においては、前記安全情報はさらに、交通情報及び／又は災害情報を含むものである。
【発明の効果】
【００１７】
本発明の効果として、以下に示すような効果を奏する。
【００１８】
請求項１においては、監視者は、安全に関する安全情報を総合的に把握することができ、ひいては、安全情報が総合的に考慮された安全な移動経路を容易に設定することができる。
【００１９】
請求項２においては、監視者は、安全に関する安全情報を総合的に把握することができ、ひいては、安全情報が総合的に考慮された安全な移動経路を容易に設定することができる。また、監視者は、検索された移動経路の候補を一目で把握することができ、ひいては、検索された移動経路の候補から選択することで、容易に安全な移動経路を設定することができる。
【００２０】
請求項３においては、監視対象者は、通るべき安全な移動経路を一目で把握することができる。
【００２１】
請求項４においては、監視者は、監視対象者の位置情報の履歴を把握することができ、ひいては、監視対象者が目的地に向かっているかどうかを把握することができる。
【００２２】
請求項５においては、監視者は、監視対象者が目的地に到着したことを知ることができる。
【００２３】
請求項６においては、監視者が目的地を設定することができる。
【００２４】
請求項７においては、監視者は、より安全な移動経路を設定することができる。
【００２５】
請求項８においては、監視者は、より安全な移動経路を設定することができる。
【図面の簡単な説明】
【００２６】
【図１】本発明の一実施形態に係る安全情報表示システムの構成を示す図。
【図２】本発明の一実施形態に係る安全情報表示システムのフローチャート。
【図３】安全情報表示データ（移動経路表示データ）を表示する監視者端末の表示部の表示画面を示す図。
【図４】監視者により決定された移動経路が反映された移動経路表示データを表示する監視対象者端末の表示部の表示画面を示す図。
【図５】移動履歴表示データを表示する監視者端末の表示部の表示画面を示す図。
【図６】他の実施形態に係る安全情報表示システムのフローチャート。
【図７】他の実施形態に係る安全情報表示データを表示する監視者端末の表示部の表示画面を示す図。
【発明を実施するための形態】
【００２７】
まず、図１を用いて、安全情報表示システム１００の構成の概要について説明する。
【００２８】
安全情報表示システム１００は、安全に関する安全情報を表示するシステムである。より詳細には、監視対象者の現在位置及び監視対象者が目指そうとする目的地の周辺において、安全に関する安全情報を過去のものから現在のものまで総合的に表示して、監視者がこれら安全情報を確認できるシステムである。安全情報表示システム１００において、監視対象者は、目的地に向かうのを監視される側であり、例えば子供である。監視者は、その監視対象者が目的地に向かうのを監視する側であり、例えば親である。目的地は、監視対象者が目指そうとする地点であり、例えば家である。安全情報表示システム１００は、監視対象者端末１、監視者端末２及びサーバー３を具備する。
【００２９】
監視対象者端末１は、監視対象者が携帯して使用する端末である。監視対象者端末１としては、データ（情報）を送受信可能な端末が用いられ、例えばパーソナルコンピュータや高機能携帯電話端末が用いられる。監視対象者端末１には、表示部１Ａが備えられる。表示部１Ａは、画像や文字などから構成される表示データを表示する部分である。表示部１Ａとしては、例えば液晶ディスプレイが用いられる。
【００３０】
監視対象者端末１は、監視対象者端末１の制御を行う制御部１０を具備する。制御部１０は、位置情報取得部１１、表示制御部１２及び送受信部１３を具備する。
【００３１】
位置情報取得部１１は、監視対象者端末１の位置情報を取得するものである。位置情報取得部１１は、ＧＰＳ（Ｇｌｏｂａｌ  Ｐｏｓｉｔｉｏｎｉｎｇ  Ｓｙｓｔｅｍ）機能などの位置情報取得機能を有し、これにより監視対象者端末１の現在の位置情報を定期的に取得する。ひいては、位置情報取得部１１は、監視対象者端末１を携帯している監視対象者の現在の位置情報を取得できる。
【００３２】
表示制御部１２は、画像や文字などから構成される表示データ（後述するサーバー３から受信した表示データ）を表示部１Ａに表示させる制御を行うものである。
【００３３】
送受信部１３は、後述するサーバー３とデータを送受信するものである。
【００３４】
監視者端末２は、監視者が使用する端末である。監視者端末２としては、データを送受信可能な端末が用いられ、例えばパーソナルコンピュータや高機能携帯電話端末が用いられる。監視者端末２には、表示部２Ａ及び入力部２Ｂが備えられる。表示部２Ａは、画像や文字などから構成される表示データを表示する部分である。表示部２Ａとしては、例えば液晶ディスプレイが用いられる。入力部２Ｂは、監視者が操作を行う部分である。入力部２Ｂとしては、例えばキーボードやタッチパネルが用いられる。監視者が入力部２Ｂを操作することにより、監視者端末２にデータが入力される。
【００３５】
監視者端末２は、監視者端末２の制御を行う制御部２０を具備する。制御部２０は、目的地情報設定部２１、決定移動経路情報設定部２２、表示制御部２３及び送受信部２４を具備する。
【００３６】
目的地情報設定部２１は、監視対象者が目指すべき目的地に関する目的地情報を設定するものである。監視者が入力部２Ｂを操作して目的地を入力することにより、目的地情報設定部２１において、入力された目的地に関する目的地情報が設定される。
【００３７】
決定移動経路情報設定部２２については、後述する。
【００３８】
表示制御部２３は、画像や文字などから構成される表示データ（後述するサーバー３から受信した表示データ）を表示部２Ａに表示させる制御を行うものである。
【００３９】
送受信部２４は、後述するサーバー３とデータを送受信するものである。
【００４０】
サーバー３は、監視対象者端末１及び監視者端末２とデータを送受信可能に構成されるものである。サーバー３は、サーバー３の制御を行う制御部３０を具備する。制御部３０は、地図情報部３１、安全情報蓄積部３２、位置情報蓄積部３３、目的地情報格納部３４、移動経路検索／表示データ生成部３５、決定移動経路情報格納部３６、目的地到着判断部３７及び送受信部３８を具備する。
【００４１】
地図情報部３１は、地図情報を格納するものである。地図情報は、道路の情報や建物の情報などを含む。地図情報は、地図情報を提供する媒体から予めダウンロード等することで、地図情報部３１に格納される。
【００４２】
安全情報蓄積部３２は、第三者から受信した安全に関する安全情報を蓄積するものである。ここで、第三者とは、監視対象者及び監視者以外の者であり、例えば、学校、ＰＴＡ、警察などである。安全情報とは、あらゆる安全に関わる情報のことであり、例えば、不審者の出没や事件の発生、警察の出動などの防犯に関する防犯情報を含む。また、安全情報は、鉄道の運行状況・遅延状況（情報）や道路の渋滞状況などを知らせる交通情報を含むことができる。また、安全情報は、火事などの災害の発生状況を知らせる情報、気象災害が起こるおそれがある場合に発表される警報（気象警報）に関する情報、及び気象に関する気象情報などの、災害情報を含むことができる。
【００４３】
位置情報蓄積部３３は、監視対象者端末１の位置情報取得部１１で取得された、監視対象者端末１の位置情報の履歴を蓄積するものである。ここで、位置情報の履歴とは、位置情報取得部１１で取得された、監視対象者端末１の過去から現在までの位置情報のことである。位置情報蓄積部３３は、現在を含むある一定期間の監視対象者端末１の位置情報の履歴を蓄積する。
【００４４】
目的地情報格納部３４は、監視者端末２の目的地情報設定部２１で設定された目的地情報を格納するものである。
【００４５】
移動経路検索／表示データ生成部３５は、移動経路検索部３５Ａ及び表示データ生成部３５Ｂを具備する。
【００４６】
移動経路検索部３５Ａは、監視対象者の現在位置から目的地までの移動経路の候補を検索するものである。移動経路検索部３５Ａは、位置情報蓄積部３３に格納された（位置情報取得部１１で取得された）監視対象者端末１の現在の位置情報に基づいて検索を行う。移動経路検索部３５Ａはまた、目的地情報格納部３４に格納された（目的地情報設定部２１で設定された）目的地情報に基づいて検索を行う。移動経路検索部３５Ａはまた、地図情報部３１に格納された地図情報に基づいて検索を行う。移動経路検索部３５Ａはまた、安全情報蓄積部３２に蓄積された安全情報に基づいて検索を行う。
【００４７】
移動経路検索部３５Ａは、これら位置情報、目的地情報、地図情報及び安全情報に基づいて、安全性や距離、時間などを適宜考慮して、監視対象者が通るべき移動経路の候補を検索する。移動経路の候補は１以上挙げられる。
【００４８】
移動経路検索部３５Ａはまた、安全情報蓄積部３２において安全情報が更新されているか、すなわち、移動経路の候補を検索するときに用いた安全情報が取得された以降に、新たな安全情報が取得されていないかを確認する。
【００４９】
表示データ生成部３５Ｂは、地図情報部３１に格納された地図情報に、安全情報蓄積部３２に蓄積された安全情報が反映された安全情報表示データを生成するものである。安全情報表示データにおける前記地図情報には、前記安全情報の他に、位置情報蓄積部３３に格納された（位置情報取得部１１で取得された）監視対象者端末１の現在の位置情報が反映される。前記地図情報にはまた、目的地情報格納部３４に格納された（目的地情報設定部２１で設定された）目的地情報が反映される。
【００５０】
また、表示データ生成部３５Ｂは、地図情報部３１に格納された地図情報に、移動経路検索部３５Ａにより検索された移動経路の候補が反映された移動経路表示データを生成するものである。移動経路表示データにおける前記地図情報には、前記検索された移動経路の候補の他に、位置情報蓄積部３３に格納された（位置情報取得部１１で取得された）監視対象者端末１の現在の位置情報が反映される。前記地図情報にはまた、目的地情報格納部３４に格納された（目的地情報設定部２１で設定された）目的地情報が反映される。
【００５１】
移動経路表示データにおいて、前記地図情報にはさらに、安全情報蓄積部３２に蓄積された安全情報を反映させることができる。この場合、移動経路表示データは、安全情報表示データに、さらに前記移動経路の候補が反映されたものであるといえる。つまり、移動経路表示データは、安全情報表示データを兼ねることができる。
【００５２】
また、表示データ生成部３５Ｂは、地図情報部３１に格納された地図情報に、位置情報蓄積部３３に蓄積された位置情報の履歴が反映された移動履歴表示データを生成するものである。移動履歴表示データには、監視対象者端末１の過去の位置情報から現在の位置情報までの履歴が表示される。
【００５３】
ここで、監視者端末２の決定移動経路情報設定部２２について説明する。決定移動経路情報設定部２２は、移動経路検索部３５Ａで検索された移動経路の候補の中から、監視者が最適な移動経路を決定したときに、その決定された移動経路に関する決定移動経路情報を設定するものである。監視者が入力部２Ｂを操作して移動経路を決定することにより、決定移動経路情報設定部２２に決定移動経路情報が設定される。
【００５４】
サーバー３の決定移動経路情報格納部３６は、決定移動経路情報設定部２２で設定された決定移動経路情報を格納するものである。
【００５５】
目的地到着判断部３７は、監視対象者が目的地に到着したかどうかを判断するものである。目的地到着判断部３７は、位置情報蓄積部３３に格納された（位置情報取得部１１で取得された）監視対象者端末１の現在の位置情報に基づいて判断を行う。目的地到着判断部３７はまた、目的地情報格納部３４に格納された（目的地情報設定部２１で設定された）目的地情報に基づいて判断を行う。
【００５６】
目的地到着判断部３７は、これら位置情報と目的地情報とを比較して、監視対象者端末１の現在の位置と目的地とが一致した場合に、監視対象者が目的地に到着したと判断する。目的地到着判断部３７は、これら位置情報と目的地情報とを比較して、監視対象者端末１の現在の位置と目的地とが一致しない場合に、監視対象者が目的地に未だ到着していないと判断する。
【００５７】
送受信部３８は、監視対象者端末１及び監視者端末２とデータを送受信するものである。
【００５８】
以下、図１から図５を参照して、安全情報表示システム１００による制御の流れを説明する。
【００５９】
監視者が、監視者端末２により、安全情報表示システム１００を起動させる（ステップＳ１０）。起動の時刻を例えば１８時００分とする。
【００６０】
安全情報表示システム１００が起動すると、表示制御部２３の制御により、監視者端末２の表示部２Ａに、予め監視者端末２に記憶された目的地の設定画面が表示される。監視者は、入力部２Ｂを操作して、監視対象者が目指すべき目的地（例えば家）を入力する。そうすると、目的地情報設定部２１において前記目的地に関する目的地情報が設定される（ステップＳ２０）。目的地情報設定部２１で設定された目的地情報は、送受信部２４を介して、サーバー３の送受信部３８に送信される。送受信部３８で受信された目的地情報は、目的地情報格納部３４に格納される（ステップＳ３０）。
【００６１】
このように構成されることで、目的地を監視者が設定することができる。よって、子供が幼く目的地を設定することができないといった問題を解消できる。
【００６２】
監視対象者端末１の位置情報取得部１１は、監視対象者端末１の現在の位置情報を取得する。取得された位置情報は、送受信部１３を介して、サーバー３の送受信部３８に送信される。送受信部３８で受信された位置情報は、位置情報蓄積部３３に格納される（ステップＳ４０）。位置情報蓄積部３３に格納された位置情報は、送受信部３８を介して、監視者端末２の送受信部２４に送信される。送受信部２４で受信された位置情報は、表示制御部２３の制御により、監視者端末２の表示部２Ａに表示される。これにより、監視者は、監視対象者端末１（監視対象者）の現在の位置情報を知ることができる。
【００６３】
サーバー３の安全情報蓄積部３２は、送受信部３８を介して、警察などの第三者から安全情報を取得する（ステップＳ５０）。
【００６４】
目的地情報、位置情報及び安全情報が取得されると、サーバー３の移動経路検索部３５Ａは、これら目的地情報、位置情報及び安全情報並びに地図情報部３１に格納された地図情報に基づいて、監視対象者の現在の位置から目的地までの移動経路の候補を検索する（ステップＳ６０）。検索された移動経路の候補は、表示データ生成部３５Ｂへと送られる。表示データ生成部３５Ｂは、地図情報部３１に格納された地図情報に、目的地情報、位置情報、安全情報及び検索された移動経路の候補が反映された移動経路表示データを生成する（ステップＳ７０）。
【００６５】
表示データ生成部３５Ｂで生成された移動経路表示データは、送受信部３８を介して、監視者端末２の送受信部２４に送信される。送受信部２４で受信された移動経路表示データは、表示制御部２３の制御により、監視者端末２の表示部２Ａに表示される。
【００６６】
図３は、移動経路表示データを表示する監視者端末２の表示部２Ａの表示画面の例である。この表示画面には、出発地（監視対象者端末１の現在の位置、図３において黒四角で示される部分）及び目的地（図３において黒三角で示される部分）が反映された地図情報が表示される。また、この表示画面には、１６時００分に警官が出動した場所、１７時００分と１７時３０分に不審者が出没した場所を示す安全情報（防犯情報）が表示される。また、図３において図示していないが、必要に応じて、道路の渋滞状況などを知らせる交通情報や、火事などの災害の発生状況を知らせる災害情報が、安全情報としてこの表示画面に表示される。さらに、この表示画面には、移動経路検索部３５Ａにより検索された移動経路の候補（経路１、経路２、経路３）が表示される。
【００６７】
これにより、監視者は、安全情報を総合的に把握することができる。すなわち、監視者は、過去から現在までの全ての安全情報を網羅的に把握することができる。そして、これら安全情報を見ながら、移動経路の候補の中から安全な移動経路を選択することができる。監視者は、入力部２Ｂを操作することにより、移動経路の候補の中から最適な移動経路を決定する。例えば入力部２Ｂがタッチパネルの場合、「経路１」と表示されている部分をタッチすることにより、移動経路として「経路１」が選択される。これにより、決定移動経路情報設定部２２に、移動経路として「経路１」が決定された旨の決定移動経路情報が設定される（ステップＳ８０）。
【００６８】
決定移動経路情報設定部２２で設定された決定移動経路情報は、送受信部２４を介して、サーバー３の送受信部３８に送信される。送受信部３８で受信された決定移動経路情報は、決定移動経路情報格納部３６に格納される（ステップＳ９０）。
【００６９】
決定移動経路情報が決定移動経路情報格納部３６に格納されると、表示データ生成部３５Ｂにおいて、移動経路の候補が反映された移動経路表示データ（図３参照）から、選択されなかった移動経路（経路２及び経路３）が削除され、選択（決定）された移動経路（経路１）のみが地図情報に反映された移動経路表示データが再生成される（図４参照）。この再生成された移動経路表示データは、送受信部３８を介して、監視対象者端末１の送受信部１３に送信される。送受信部１３で受信された前記再生成された移動経路表示データは、表示制御部１２の制御により、監視対象者端末１の表示部１Ａに表示される（ステップＳ１００）。なお、図４における表示部１Ａに表示される移動経路表示データにおいては、安全情報が表示されているが、安全情報は表示されていなくてもよい。また、表示部１Ａに表示されるのは、前記再生成された移動経路表示データに繋がるＵＲＬであってもよい。
【００７０】
これにより、監視対象者は、通るべき（決定された）移動経路を地図情報に基づいて視覚的に確認することができる。したがって、監視対象者は、一目で移動経路を把握することができる。通るべき移動経路を確認した監視対象者は、それを見ながら目的地へ向かうことができる。
【００７１】
次いで、目的地到着判断部３７は、位置情報蓄積部３３に蓄積された監視対象者端末１の位置情報の履歴と、目的地情報格納部３４に格納された目的地情報とを比較して、監視対象者が目的地に到着したかどうかを判断する（ステップＳ１１０）。
【００７２】
目的地到着判断部３７により監視対象者が未だ目的地に到着していないと判断された場合（ステップＳ１１０で「ＮＯ」）、移動経路検索部３５Ａは、安全情報蓄積部３２において安全情報が更新されているかを確認する（ステップＳ１２０）。
【００７３】
安全情報が更新されていると移動経路検索部３５Ａが判断した場合（ステップＳ１２０で「ＹＥＳ」）、再び位置情報取得のステップに戻る（ステップＳ４０）。そして、更新された安全情報に基づいて、再び移動経路の候補の検索を行う。以下のステップについては、前述の通りである。
【００７４】
また、目的地到着判断部３７により監視対象者が未だ目的地に到着していないと判断された場合（ステップＳ１１０で「ＮＯ」）、表示データ生成部３５Ｂは、地図情報部３１に格納された地図情報に、位置情報蓄積部３３に蓄積された位置情報の履歴が反映された移動履歴表示データを生成する。移動履歴表示データは、送受信部３８を介して、監視者端末２の送受信部２４に送信される。送受信部２４で受信された移動履歴表示データは、表示制御部２３の制御により、監視者端末２の表示部２Ａに表示される（図５参照）。これにより、監視者は、監視対象者の移動履歴表示データを確認することができる（ステップＳ１３０）。
【００７５】
これにより、監視者は、監視対象者が未だ目的地に到着していないときでも、監視対象者が決定された移動経路（経路１）に沿って移動しているかどうかを把握することができる。したがって、監視者は、監視対象者が適切に目的地に向かっているかどうか、不審者が出没したところを通っていないかなどの確認をすることができる。
【００７６】
安全情報が更新されていないと移動経路検索部３５Ａが判断した場合（ステップＳ１２０で「ＮＯ」）、再び目的地に到着したかどうかの判断のステップに戻る（ステップＳ１１０）。そして、目的地到着判断部３７は、再び位置情報蓄積部３３に格納された監視対象者端末１の現在の位置情報を取得し、取得した現在の位置情報と、目的地情報格納部３４に格納された目的地情報とを比較して、監視対象者が目的地に到着したかどうかを判断する。監視対象者が目的地に到着したと目的地到着判断部３７が判断する（ステップＳ１１０で「ＹＥＳ」）か、安全情報が更新される（ステップＳ１２０で「ＹＥＳ」）まで、これらのステップを繰り返す。
【００７７】
監視対象者が目的地に到着したと目的地到着判断部３７が判断した場合（ステップＳ１１０で「ＹＥＳ」）、監視対象者が目的地に到着した旨を報知する目的地到着情報が、送受信部３８を介して、監視者端末２の送受信部２４に送信される。送受信部２４で受信された目的地到着情報は、表示制御部２３の制御により、監視者端末２の表示部２Ａに表示される（ステップＳ１４０）。これにより、監視者は、監視対象者が目的地に到着したことを知ることができる。
【００７８】
監視者に監視対象者が目的地に到着したことが報知されると、監視者が、監視者端末２により安全情報表示システム１００を終了させる（ステップＳ１５０）。
【００７９】
以上の如く、本実施形態に係る安全情報表示システム１００は、監視対象者が携帯して使用する監視対象者端末１と、表示部２Ａを有して監視者が使用する監視者端末２とを具備する安全情報表示システム１００であって、前記監視対象者端末１の位置情報を取得する位置情報取得部１１と、前記監視対象者が目指すべき目的地に関する目的地情報を設定する目的地情報設定部２１と、地図情報を格納する地図情報部３１と、第三者から受信した安全に関する安全情報を蓄積する安全情報蓄積部３２と、前記地図情報部３１に格納された前記地図情報に、前記位置情報取得部１１で取得された前記位置情報、前記目的地情報設定部２１で設定された前記目的地情報、及び前記安全情報蓄積部３２に蓄積された前記安全情報が反映された安全情報表示データを生成する表示データ生成部３５Ｂと、前記表示データ生成部３５Ｂで生成された前記安全情報表示データを前記監視者端末２の前記表示部２Ａに表示させる表示制御部２３と、を具備するものである。
このように構成することにより、監視者は、安全に関する安全情報を総合的に把握することができ、ひいては、安全情報が総合的に考慮された安全な移動経路を容易に設定することができる。
【００８０】
また、本実施形態に係る安全情報表示システム１００は、前記位置情報取得部１１で取得された前記位置情報、前記目的地情報設定部２１で設定された前記目的地情報、前記地図情報部３１に格納された前記地図情報、及び前記安全情報蓄積部３２に蓄積された前記安全情報に基づいて、前記監視対象者が通るべき移動経路の候補を検索する移動経路検索部３５Ａを具備し、前記表示データ生成部３５Ｂは、前記地図情報部３１に格納された前記地図情報に、前記位置情報蓄積部３３で取得された前記位置情報、前記目的地情報設定部２１で設定された前記目的地情報、及び前記移動経路検索部３５Ａにより検索された前記移動経路の候補が反映された移動経路表示データを生成し、前記表示制御部２３は、前記表示データ生成部３５Ｂで生成された前記移動経路表示データを前記監視者端末２の前記表示部２Ａに表示させるものである。
このように構成することにより、監視者は、検索された移動経路の候補を一目で把握することができ、ひいては、検索された移動経路の候補から選択することで、容易に安全な移動経路を設定することができる。
【００８１】
また、本実施形態に係る安全情報表示システム１００は、前記移動経路の候補の中から前記監視者により決定された前記移動経路に関する決定移動経路情報を設定する決定移動経路情報設定部２２を具備し、前記監視対象者端末１は、表示部１Ａを有し、表示制御部１２は、前記決定移動経路情報設定部２２で設定された前記決定移動経路情報に基づいて、決定された前記移動経路が反映された前記移動経路表示データを前記監視対象者端末１の前記表示部１Ａに表示させるさせるものである。
このように構成することにより、監視対象者は、通るべき安全な移動経路を一目で把握することができる。
【００８２】
また、本実施形態に係る安全情報表示システム１００は、前記位置情報取得部１１で取得された前記位置情報の履歴を蓄積する位置情報蓄積部３３を具備し、前記表示データ生成部３５Ｂは、前記地図情報部３１に格納された前記地図情報に、前記位置情報蓄積部３３に蓄積された前記位置情報の履歴が反映された移動履歴表示データを生成し、前記表示制御部２３は、前記表示データ生成部３５Ｂで生成された前記移動履歴表示データを前記監視者端末２の前記表示部２Ａに表示させるものである。
このように構成することにより、監視者は、監視対象者の位置情報の履歴を把握することができ、ひいては、監視対象者が目的地に向かっているかどうかを把握することができる。
【００８３】
また、本実施形態に係る安全情報表示システム１００において、前記監視者端末２は、前記監視対象者が前記目的地に到着した旨を報知可能な表示部２Ａ（報知部）を有し、前記位置情報取得部１１で取得された前記位置情報に基づいて、前記監視対象者が前記目的地に到着したかどうかを判断する目的地到着判断部３７と、前記目的地到着判断部３７により前記監視対象者が前記目的地に到着したと判断されると、前記監視者端末２の前記表示部２Ａに前記監視対象者が前記目的地に到着した旨を報知させる表示制御部２３（報知制御部）と、を具備するものである。
このように構成することにより、監視者は、監視対象者が目的地に到着したことを知ることができる。
【００８４】
また、本実施形態に係る安全情報表示システム１００において、前記監視者端末２は、入力操作されることにより前記目的地情報設定部２１で前記目的地が設定される入力部２Ｂを有するものである。
このように構成することにより、監視者が目的地を設定することができる。
【００８５】
また、本実施形態に係る安全情報表示システム１００において、前記安全情報は、防犯情報を含むものである。
このように構成することにより、監視者は、より安全な移動経路を設定することができる。
【００８６】
また、本実施形態に係る安全情報表示システム１００において、前記安全情報はさらに、交通情報及び／又は災害情報を含むものである。
このように構成することにより、監視者は、より安全な移動経路を設定することができる。
【００８７】
なお、本実施形態に係る表示部２Ａは、本発明に係る報知部の一形態である。
また、本実施形態に係る表示制御部２３は、本発明に係る報知制御部の実施の一形態である。
【００８８】
以上、本発明の実施形態を説明したが、本発明は上記構成に限定されるものではなく、特許請求の範囲に記載された発明の範囲内で種々の変更が可能である。
【００８９】
例えば、本実施形態においては、制御部１０は監視対象者端末１に、制御部２０は監視者端末２に、制御部３０はサーバー３に具備されるものとしたが、本発明はこれに限定されるものではない。制御部１０・２０・３０の各構成要素は、本発明の効果を奏することができる限り、監視対象者端末１、監視者端末２及びサーバー３のいずれに具備されるものであってもよい。
【００９０】
また、本実施形態においては、位置情報取得部１１は、監視対象者端末１の現在の位置情報を定期的に取得するものとしたが、前記位置情報を継続的に、あるいは不定期的に取得するものであってもよい。
【００９１】
また、本実施形態においては、監視対象者の移動履歴表示データは、目的地到着判断部３７により監視対象者が未だ目的地に到着していないと判断された場合に、サーバー３から監視者端末２に送信されるものとしたが、本発明はこれに限定されるものではない。例えば、移動履歴表示データは、監視者端末２の表示部２Ａに常に表示されるようにしてもよく、あるいは監視者端末２の入力部２Ｂを操作したときに、表示部２Ａで見られることができるようにしてもよい。
【００９２】
また、本実施形態においては、監視者端末２の表示部２Ａ（報知部）に目的地到着情報を表示させることにより、監視者に監視対象者が目的地に到着した旨を報知するものとしたが、本発明はこれに限定されるものではない。例えば、音声やバイブレーションにより、監視者に監視対象者が目的地に到着した旨を報知するものであってもよい。すなわち、本発明に係る報知部は、音声出力手段、又はバイブレーション出力手段であってもよい。
【００９３】
以下では、図６及び図７を参照して、本発明の第二実施形態に係る安全情報表示システム１００による制御の流れを説明する。
【００９４】
図６に示す第二実施形態に係る安全情報表示システム１００による制御の流れが、第一実施形態に係る安全情報表示システム１００による制御の流れ（図２参照）と異なる点は、監視者による移動経路の決定に関するステップである。よって以下では、第一実施形態と異なるステップについてのみ説明する。
【００９５】
サーバー３の安全情報蓄積部３２が警察などの第三者から安全情報を取得するステップ（ステップＳ５０）までは、第一実施形態と同様である。
【００９６】
目的地情報、位置情報及び安全情報が取得されると、サーバー３の表示データ生成部３５Ｂは、地図情報部３１に格納された地図情報に、目的地情報、位置情報及び安全情報が反映された安全情報表示データを生成する（ステップＳ６１）。
【００９７】
表示データ生成部３５Ｂで生成された安全情報表示データは、送受信部３８を介して、監視者端末２の送受信部２４に送信される。送受信部２４で受信された安全情報表示データは、表示制御部２３の制御により、監視者端末２の表示部２Ａに表示される。
【００９８】
図７は、安全情報表示データを表示する監視者端末２の表示部２Ａの表示画面の例である。この表示画面には、出発地（監視対象者端末１の現在の位置、図３において黒四角で示される部分）及び目的地（図３において黒三角で示される部分）が反映された地図情報が表示される。また、この表示画面には、１６時００分に警官が出動した場所、１７時００分と１７時３０分に不審者が出没した場所を示す安全情報（防犯情報）が表示される。
【００９９】
これにより、監視者は、過去から現在までの安全情報を総合的に把握することができる。そして、これら安全情報を見ながら、安全な移動経路を決定することができる。監視者は、入力部２Ｂを操作することにより、移動経路の候補の中から最適な移動経路を決定する。例えば入力部２Ｂがタッチパネルの場合、最適な移動経路を指でなぞることにより、移動経路が決定される。これにより、決定移動経路情報設定部２２に決定移動経路情報が設定される（ステップＳ８１）。以降のステップは、第一実施形態と同様である。
【符号の説明】
【０１００】
１      監視対象者端末
１Ａ    表示部
２      監視者端末
２Ａ    表示部（報知部）
２Ｂ    入力部
３      サーバー
１１    位置情報取得部
１２    表示制御部
２１    目的地情報設定部
２２    決定移動経路情報設定部
２３    表示制御部（報知制御部）
３１    地図情報部
３２    安全情報蓄積部
３３    位置情報蓄積部
３５Ａ  移動経路検索部
３５Ｂ  表示データ生成部
３７    目的地到着判断部
１００  安全情報表示システム
【図１】
0006605835.tif 000002
【図２】
0006605835.tif 000003
【図３】
0006605835.tif 000004
【図４】
0006605835.tif 000005
【図５】
0006605835.tif 000006
【図６】
0006605835.tif 000007
【図７】
0006605835.tif 000008